(57)【特許請求の範囲】
【請求項１】
建物の室内に設けられる間仕切り壁の取付け構造であって、
丸太組構法によって構築されたログ壁が、建物の構造躯体を構成することにより、建物の構造躯体の高さが次第に低下していくセトリングが発生し、
間仕切り壁は、
下枠部材と、
下枠部材の上方に、下枠部材と同一平面上に設けられる上枠部材と、
下枠部材及び上枠部材の間に立設され、これらを接合する複数の縦枠部材と、
下枠部材、上枠部材及び複数の縦枠部材によって形成される枠体に固定される面材とを備え、
上枠部材と、上枠部材の上方に位置する建物の構造躯体との間には、セトリングにより低下すると想定される高さ以上の高さに設定された間隙である垂直変位対応スペースが、間仕切り壁の一方側の側端部に相当する位置から他方の側端部に相当する位置まで連続して設けられ、
上枠部材には、その上面から下面まで貫通するとともに、その長手方向に沿って延びる長貫通孔が設けられ、
上枠部材の長貫通孔に挿通された棒状の締結部材が、垂直変位対応スペースを上下に貫いて、上枠部材の上方に位置する建物の構造躯体に固定されるとともに、締結部材における、垂直変位対応スペースに対応する部分が、長貫通孔に挿通可能とされていることにより、上枠部材が、その上方に位置する建物の構造躯体に対してその長手方向に変位可能に取り付けられているとともに、セトリングにより建物の構造躯体の高さが低下したときに、その変位を垂直変位対応スペースが吸収する
ことを特徴とする間仕切り壁の取付け構造。
【請求項２】
間仕切り壁の側端部と、間仕切り壁の側方に位置する建物の構造躯体との間には、建物の構造躯体の水平方向の変位を間仕切り壁に伝えないようにするための間隙である水平変位対応スペースが、間仕切り壁の下端部に相当する位置から上端部に相当する位置まで連続して設けられている
ことを特徴とする請求項１記載の間仕切り壁の取付け構造。
【請求項３】
締結部材として、ラグスクリューが用いられ、
ラグスクリューの先端部分は、上枠部材の下面側から長貫通孔に挿通され、
上枠部材の上面側から突出したラグスクリューの先端部分が、上枠部材の上方に位置する建物の構造躯体にねじ込まれることにより、ラグスクリューが上枠部材の上方に位置する建物の構造躯体に固定され、
ラグスクリューの頭部は、上枠部材の下面より下方に位置している
ことを特徴とする請求項１又は２記載の間仕切り壁の取付け構造。
【請求項４】
水平変位対応スペースを隠すための縦幕板が、水平変位対応スペースに隣接する建物の構造躯体の所定位置に直接又は間接的に設けられている
ことを特徴とする請求項２記載の間仕切り壁の取付け構造。
【請求項５】
垂直変位対応スペースを隠すための横幕板が、垂直変位対応スペースに隣接する建物の構造躯体の所定位置に直接又は間接的に設けられている
ことを特徴とする請求項３記載の間仕切り壁の取付け構造。
【発明の詳細な説明】
【技術分野】
【０００１】
本発明は、建物の室内に設けられる間仕切り壁の取付け構造に関する。
【背景技術】
【０００２】
ログハウスでは、丸太組構法で、すなわち、丸太、製材その他これに類する木材（以下「ログ材」という）を水平に積み上げることで、ログ壁が構築される。このログ壁は、ログハウスの構造躯体を構成する。
このため、ログハウスは、いわゆる柔構造であり、地震のときには、軸組構法や枠組壁構法等と比較して、構造躯体が揺れやすい（動きやすい）。
【０００３】
一方、ログハウスの室内には、間仕切り壁が設けられる。従来、間仕切り壁は、以下のようにして構築されていた。まず、床の上面における、間仕切り壁を構築しようとする位置に、下枠部材を固定する。また、天井の下面における、間仕切り壁を構築しようとする位置に、下枠部材と平行に、上枠部材を固定する。梁の下に、梁に沿って、間仕切り壁を設ける場合にあっては、梁の下面に、上枠部材を固定する。さらに、下枠部材と上枠部材との間に、これらを接合するようにして、複数本の縦枠部材を立設する。間仕切り壁の側端が、柱と接する場合にあっては、最も柱寄りの縦枠部材は、柱の側面に固定する。そうすると、下枠部材、上枠部材、及び複数の縦枠部材によって、枠体が形成される。そして、この枠体の開口部を塞ぐようにして、面材を固定する。従来は、このようにして、間仕切り壁が構築されていた。
【０００４】
上述したように、従来、間仕切り壁は、構造躯体に固定されていた。このため、地震等によって構造躯体が揺れると、その揺れが間仕切り壁にも伝わる。
しかし、枠体及び面材から構成される間仕切り壁は、柔構造ではない。このため、構造躯体が柔構造の場合、地震等による構造躯体の揺れが間仕切り壁に伝わることにより、間仕切り壁が破損してしまうことがあった。
【０００５】
特に、面材として、石膏ボード（プラスターボード）を用い、石膏ボード同士の継ぎ目をパテで埋め、表面を塗装して間仕切り壁を仕上げる場合があるが、この場合、地震等による構造躯体の揺れが間仕切り壁に伝わると、石膏ボード同士の継ぎ目にヒビが入ってしまうことがあった。
また、表面に壁紙（クロス）を貼付して間仕切り壁を仕上げる場合には、地震等による構造躯体の揺れが間仕切り壁に伝わると、面材の継ぎ目で壁紙が破れてしまうことがあった。
【０００６】
なお、先行技術として、例えば、間仕切り壁の端部に、鉄骨梁や鋼管柱やスラブに設けた変形吸収部材としてのガイドレールを挿入し、双方を所定寸法互いに重なり合わせることにより、地震時における架構側と壁側との間での変形に追従する間仕切り壁構造が提案されている（特許文献１参照）。
また、耐震スリット材を変形可能に形成するとともに、この耐震スリット材の外面に、柱部、梁部又は壁部を構成するコンクリート内部に埋設されるアンカー部を設けることにより、地震作用に追従して変形し得るとともに、地震の沈静化後は元の設置状態に復元し得る耐震スリット材が提案されている（特許文献２参照）。
【０００７】
さらに、間仕切り壁と、間仕切り壁を囲む柱、梁、スラブ等の架構部材との間に、間仕切り壁と架構部材との相対変形に追従してそれらの間を塞ぐ変形吸収部材を設け、変形吸収部材として、間仕切り壁の面内方向に弾性変形可能なランナーを設けることにより、地震時における架構側と壁側との間での変形に追従する間仕切り壁構造が提案されている（特許文献３参照）。
【先行技術文献】
【特許文献】
【０００８】
【特許文献１】特開２０００−３２００５０号公報
【特許文献２】特開２００２−１９４９１８号公報
【特許文献３】特開２００５−３５１０８５号公報
【発明の概要】
【発明が解決しようとする課題】
【０００９】
上述したように、従来、構造躯体が柔構造の場合、地震等により構造躯体が揺れると、この揺れが間仕切り壁に伝わることにより、間仕切り壁が破損してしまうことがあった。
なお、このような課題は、ログハウスに限られるものではなく、構造躯体が柔構造の建物の室内に、枠体及び面材から構成される間仕切り壁を設ける場合に、広く一般的に生じ得るものである。
【００１０】
さらに、構造躯体は、必ずしも柔構造の建物に限られるものではなく、また、構造躯体の揺れの原因は、必ずしも地震に限られるものではない。
すなわち、建物全般において、構造躯体の水平方向の変位が、間仕切り壁に伝わると、間仕切り壁が変形・破損してしまうことがある。
そこで、本発明は、構造躯体の水平方向の変位が、間仕切り壁に伝わらないようにすることで、間仕切り壁が変形・破損しないようにした間仕切り壁の取付け構造を提供することを目的とする。
【００１１】
さらに、ログハウスでは、建築後に、ログ材の自重による圧縮と、ログ材の乾燥による収縮とによって、ログ壁全体の高さが次第に低くなる（沈み込む）という現象が生じる。このような現象は、セトリングなどと呼ばれる。
そして、本発明は、構造躯体の垂直方向の変位が、間仕切り壁に伝わらないようにすることで、間仕切り壁が変形・破損しないようにした間仕切り壁の取付け構造を更に提供することを目的とする。
【課題を解決するための手段】
【００１２】
（請求項１）
請求項１記載の発明は、建物の室内に設けられる間仕切り壁10の取付け構造であって、丸太組構法によって構築されたログ壁が、建物の構造躯体を構成することにより、建物の構造躯体の高さが次第に低下していくセトリングが発生し、間仕切り壁10は、下枠部材20と、下枠部材20の上方に、下枠部材20と同一平面上に設けられる上枠部材30と、下枠部材20及び上枠部材30の間に立設され、これらを接合する複数の縦枠部材40と、下枠部材20、上枠部材30及び複数の縦枠部材40によって形成される枠体に固定される面材50とを備え、上枠部材30と、上枠部材30の上方に位置する建物の構造躯体との間には、セトリングにより低下すると想定される高さ以上の高さに設定された間隙である垂直変位対応スペース60が、間仕切り壁10の一方側の側端部に相当する位置から他方の側端部に相当する位置まで連続して設けられ、上枠部材30には、その上面から下面まで貫通するとともに、その長手方向に沿って延びる長貫通孔31が設けられ、上枠部材30の長貫通孔31に挿通された棒状の締結部材32が、垂直変位対応スペース60を上下に貫いて、上枠部材30の上方に位置する建物の構造躯体に固定されるとともに、締結部材32における、垂直変位対応スペース60に対応する部分が、長貫通孔31に挿通可能とされていることにより、上枠部材30が、その上方に位置する建物の構造躯体に対してその長手方向に変位可能に取り付けられているとともに、セトリングにより建物の構造躯体の高さが低下したときに、その変位を垂直変位対応スペース60が吸収することを特徴とする。
【００１３】
本発明は、建物の室内に設けられる間仕切り壁10の取付け構造に係るものであり、特に、構造躯体が柔構造の建物の室内、具体的には、丸太組構法によって構築されたログ壁が、建物の構造躯体を構成することにより、建物の構造躯体の高さが次第に低下していくセトリングが発生する建物の室内に、枠体及び面材50から構成される間仕切り壁10を設ける場合における、間仕切り壁10の取付け構造に係るものである。
【００１４】
なお、ここでいう柔構造とは、地震等のときに、軸組構法や枠組壁構法等と比較して、構造躯体が比較的揺れやすい（動きやすい）という意味である。
また、構造躯体の揺れの原因は、必ずしも地震に限られるものではない。
すなわち、本発明は、構造躯体の水平方向及び垂直方向の変位が、間仕切り壁10に伝わらないようにすることで、間仕切り壁10が変形・破損しないようにするものである。
【００１５】
ここで、「下枠部材20」は、間仕切り壁10の下端に設けられる長尺の部材である。この下枠部材20は、床における、間仕切り壁10を構築しようとする位置に固定される。
また、下枠部材20の床への固定は、例えば、釘やビスを用いて行うことができる。また、下枠部材20は、例えば、床下地合板や、床下地合板を支持する根太等に固定することができる。
【００１６】
また、「上枠部材30」は、間仕切り壁10の上端に設けられる長尺の部材である。この上枠部材30は、下枠部材20の上方に、下枠部材20と同一平面上に設けられる。
また、上枠部材30は、下枠部材20と同一平面上に設けることは必須であるが、下枠部材20と平行に設けることまでは必須ではない。
【００１７】
例えば、床は水平だが、梁80や天井は傾斜している、すなわち、登り梁80や勾配天井の下に間仕切り壁10を設ける場合にあっては、下枠部材20は、床に沿って水平に設けられるが、上枠部材30は、傾斜した梁80や天井の勾配に沿って傾斜して配置される。ただし、面材50を貼り付ける必要があるため、上枠部材30は、下枠部材20と同一平面上に設けられる。
なお、梁80や天井が水平の場合には、上枠部材30は、梁80や天井に沿って水平に配置される。このため、この場合には、上枠部材30は、下枠部材20と、同一平面上のみならず、平行に設けられることとなる。
【００１８】
また、「縦枠部材40」は、下枠部材20及び上枠部材30の間に立設される長尺の部材である。この縦枠部材40は、下枠部材20と上枠部材30との間に複数本立設される。
また、縦枠部材40の下端は、下枠部材20に固定され、縦枠部材40の上端は、上枠部材30に固定される。また、縦枠部材40と下枠部材20又は上枠部材30との固定は、例えば、釘やビスを用いて行うことができる。
【００１９】
そして、下枠部材20、上枠部材30、及び複数の縦枠部材40によって、「枠体」が形成される。
また、「面材50」は、下枠部材20、上枠部材30、及び複数の縦枠部材40によって形成される枠体に固定されるものである。
この面材50は、枠体の開口部を塞ぐようにして、枠体に固定される。具体的には、面材50は、例えば、下枠部材20、上枠部材30、及び左右の縦枠部材40によって形成される四角形の枠体に、その周縁部を固定される。つまり、面材50は、その下端縁を下枠部材20に、その上端縁を上枠部材30に、その左右の側端縁を左右の縦枠部材40に、それぞれ固定される。
【００２０】
また、面材50の左右の側端縁に沿ってそれぞれ縦枠部材40を設けるとともに、この左右の両縦枠部材40の間に、１本又は２本以上の中間の縦枠部材40を設けることもできる。そして、このような場合には、中間の縦枠部材40にも、面材50を固定することが好ましい。
さらに、面材50は、下枠部材20、上枠部材30、及び複数の縦枠部材40によって形成される枠体の両面に固定する。つまり、２枚の面材50の間に、枠体が挟まれる。
また、面材50の枠体への固定は、つまり、面材50の下枠部材20、上枠部材30、及び複数の縦枠部材40への固定は、例えば、釘やビスなどを用いて行うことができる。
また、面材50としては、例えば、石膏ボード（プラスターボード）や合板等を用いることができる。
【００２１】
また、「長貫通孔31」は、上枠部材30に設けられる孔である。この長貫通孔31は、上枠部材30の上面から下面まで貫通する孔、つまり、上枠部材30を上下に貫通する孔である。さらに、この長貫通孔31は、上枠部材30の長手方向に沿って延びる長円形状の孔である。
また、「締結部材32」は、間仕切り壁10を建物の構造躯体に対して取り付けるための棒状の部材である。間仕切り壁10は、建物の構造躯体を構成する壁ではないので、建物の構造躯体に対して倒れないように取り付けられれば足りる。
また、「垂直変位対応スペース60」は、建物の構造躯体の垂直方向の変位を間仕切り壁10に伝えないようにするための間隙である。
この垂直変位対応スペース60は、建物の構造躯体の垂直方向の変位のみならず、水平方向の変位を間仕切り壁10に伝えないようにするための間隙としても機能する。
また、この垂直変位対応スペース60は、上枠部材30と、上枠部材30の上方に位置する建物の構造躯体との間に設けられる。
さらに、この垂直変位対応スペース60は、間仕切り壁10の一方の側端部に相当する位置から、他方の側端部に相当する位置まで、連続して設けられる。
具体的には、間仕切り壁10の上方に位置する建物の構造躯体として、例えば、梁80がある。
そして、間仕切り壁10の上端に設けられる上枠部材30と、間仕切り壁10の上方に位置する構造躯体としての梁80との間に、一方の側端から他方の側端まで連続して、所定間隔の間隙が設けられる。この間隙が、垂直変位対応スペース60である。
また、垂直変位対応スペース60の大きさ（高さ）は、セトリングによるログ壁全体の高さの低下（沈み込み）の大きさを考慮し、それよりも大きい（高い）程度に設定する。
そうすると、セトリングによりログ壁全体の高さが低下しても、その変位が垂直変位対応スペース60に吸収される。また、地震等により構造躯体が揺れて水平方向に変位しても、その変位も垂直変位対応スペース60に吸収される。すなわち、垂直変位対応スペース60は、構造躯体の垂直方向の変位のみならず、水平方向の変位も吸収する。このため、構造躯体の垂直方向及び水平方向の変位が間仕切り壁10に伝わらないようにすることができ、ひいては間仕切り壁10が変形・破損しないようにすることができる。
【００２２】
本発明では、締結部材32を、上枠部材30の長貫通孔31に挿通する。そして、締結部材32の一端を、上枠部材30の上方に位置する建物の構造躯体に固定する。また、締結部材32の一端を固定する建物の構造躯体としては、例えば、上枠部材30の上方に位置する梁80等がある。
また、長貫通孔31と締結部材32との関係について、長貫通孔31の短径（幅）は、締結部材32の軸部の直径とほぼ等しく設定し、また、長貫通孔31の長径（長さ）は、締結部材32の軸部の直径よりも大きく（長く）設定することが好ましい。さらに、長貫通孔31の長径（長さ）は、地震等による構造躯体の水平方向の変位の大きさを考慮し、それよりも大きい（長い）程度にすることが好ましい。
【００２３】
これにより、上枠部材30を、その上方に位置する建物の構造躯体に対して、その長手方向に変位可能に取り付けることができる。
そうすると、地震等により構造躯体が揺れて水平方向に変位しても、その変位が間仕切り壁10に伝わらないようにすることができ、ひいては間仕切り壁10が変形・破損しないようにすることができる。
【００２４】
（請求項２）
請求項２記載の発明は、請求項１記載の間仕切り壁10の取付け構造において、間仕切り壁10の側端部と、間仕切り壁10の側方に位置する建物の構造躯体との間には、建物の構造躯体の水平方向の変位を間仕切り壁10に伝えないようにするための間隙である水平変位対応スペース70が、間仕切り壁10の下端部に相当する位置から上端部に相当する位置まで連続して設けられていることを特徴とする。
【００２５】
ここで、「水平変位対応スペース70」は、建物の構造躯体の水平方向の変位を間仕切り壁10に伝えないようにするための間隙である。
この水平変位対応スペース70は、間仕切り壁10の側端部と、間仕切り壁10の側方に位置する建物の構造躯体との間に設けられる。
また、この水平変位対応スペース70は、間仕切り壁10の下端部に相当する位置から、上端部に相当する位置まで、連続して設けられる。
【００２６】
具体的には、間仕切り壁10の側端には、縦枠部材40が設けられる。
また、間仕切り壁10の側方に位置する建物の構造躯体として、例えば、柱90がある。
そして、間仕切り壁10の側端に設けられる縦枠部材40と、間仕切り壁10の側方に位置する構造躯体としての柱90との間に、下端から上端まで連続して、所定間隔の間隙が設けられる。この間隙が、水平変位対応スペース70である。
【００２７】
また、水平変位対応スペース70の大きさ（幅）は、地震等による構造躯体の水平方向の変位の大きさを考慮し、それよりも大きい（広い）程度にすることが好ましい。
そうすると、地震等により構造躯体が揺れて水平方向に変位しても、その変位が水平変位対応スペース70に吸収されることから、間仕切り壁10に伝わらないようにすることができ、ひいては間仕切り壁10が変形・破損しないようにすることができる。
【００２８】
（請求項３）
請求項３記載の発明は、請求項１又は２記載の間仕切り壁10の取付け構造において、締結部材32として、ラグスクリューが用いられ、ラグスクリューの先端部分は、上枠部材30の下面側から長貫通孔31に挿通され、上枠部材30の上面側から突出したラグスクリューの先端部分が、上枠部材30の上方に位置する建物の構造躯体にねじ込まれることにより、ラグスクリューが上枠部材30の上方に位置する建物の構造躯体に固定され、ラグスクリューの頭部は、上枠部材30の下面より下方に位置していることを特徴とする。
【００３３】
（請求項４）
請求項４記載の発明は、請求項２記載の間仕切り壁10の取付け構造において、水平変位対応スペース70を隠すための縦幕板41が、水平変位対応スペース70に隣接する建物の構造躯体の所定位置に直接又は間接的に設けられていることを特徴とする。
【００３４】
ここで、「縦幕板41」は、水平変位対応スペース70を隠すための板状の部材である。この縦幕板41は、水平変位対応スペース70に隣接する建物の構造躯体（例えば、柱90）の所定位置に設けられる。また、この縦幕板41は、建物の構造躯体に直接固定してもよく、また、スペーサー等の他の部材を介して建物の構造躯体に間接的に固定してもよい。
そして、この縦幕板41により、水平変位対応スペース70を隠すことができるので、間仕切り壁10と建物の構造躯体との間に間隙を設けても、見栄えを良くすることができる。
【００３５】
（請求項５）
請求項５記載の発明は、請求項３記載の間仕切り壁10の取付け構造において、垂直変位対応スペース60を隠すための横幕板35が、垂直変位対応スペース60に隣接する建物の構造躯体の所定位置に直接又は間接的に設けられていることを特徴とする。
【００３６】
ここで、「横幕板35」は、垂直変位対応スペース60を隠すための板状の部材である。この横幕板35は、垂直変位対応スペース60に隣接する建物の構造躯体（例えば、梁80）の所定位置に設けられる。また、この横幕板35は、建物の構造躯体に直接固定してもよく、また、スペーサー等の他の部材を介して建物の構造躯体に間接的に固定してもよい。
そして、この横幕板35により、垂直変位対応スペース60を隠すことができるので、間仕切り壁10と建物の構造躯体との間に間隙を設けても、見栄えを良くすることができる。
【発明の効果】
【００３７】
（請求項１）
請求項１記載の発明によれば、地震等により建物の構造躯体が揺れて水平方向に変位しても、その変位が間仕切り壁に伝わらないようにすることができ、ひいては間仕切り壁が変形・破損しないようにすることができる。
また、セトリングによりログ壁全体の高さが低下しても、その変位が垂直変位対応スペースに吸収される。また、地震等により建物の構造躯体が揺れて水平方向に変位しても、その変位も垂直変位対応スペースに吸収される。このため、建物の構造躯体の垂直方向及び水平方向の変位が間仕切り壁に伝わらないようにすることができ、ひいては間仕切り壁が変形・破損しないようにすることができる。
（請求項２）
請求項２記載の発明によれば、地震等により建物の構造躯体が揺れて水平方向に変位しても、その変位が水平変位対応スペースに吸収されることから、間仕切り壁に伝わらないようにすることができ、ひいては間仕切り壁が変形・破損しないようにすることができる。
【００３８】
（請求項３）
請求項３記載の発明によれば、締結部材としてのラグスクリューの頭部は、上枠部材の下面より下方に位置している。このため、セトリングによりログ壁全体の高さが低下しても、間仕切り壁が変形・破損しないようにすることができる。
【００３９】
（請求項４）
請求項４記載の発明によれば、縦幕板により、水平変位対応スペースを隠すことができるので、間仕切り壁と建物の構造躯体との間に間隙を設けても、見栄えを良くすることができる。
（請求項５）
請求項５記載の発明によれば、横幕板により、垂直変位対応スペースを隠すことができるので、間仕切り壁と建物の構造躯体との間に間隙を設けても、見栄えを良くすることができる。
【図面の簡単な説明】
【００４０】
【図１】本発明の実施の形態に係る間仕切り壁の取付け構造を示す縦断面図。
【図２】本発明の実施の形態に係る間仕切り壁の取付け構造を示す平断面図。
【図３】本発明の実施の形態に係る間仕切り壁の取付け構造を示す分解斜視図。
【発明を実施するための形態】
【００４１】
本発明の実施の形態を、図１〜図３に基づいて説明する。
（建物／ログハウス）
本実施形態に係る建物は、ログハウスである。ログハウスは、地面に打設された基礎と、基礎の上に載置され基礎に対してアンカーボルトで固定された土台と、土台の上に構築されたログ壁とを備えている。
【００４２】
（ログ壁）
ログ壁は、丸太組構法によって構築される壁である。
また、丸太組構法とは、丸太、製材その他これに類する木材（以下「ログ材」という）を水平に積み上げることにより壁を設ける工法をいう（国土交通省告示第四百十一号）。
このようにして構築されたログ壁は、ログハウスの構造躯体を構成している。
【００４３】
ここで、ログ壁は、いわゆる柔構造である。このため、ログハウスは、地震のときには、軸組構法や枠組壁構法などの建物と比較して、構造躯体が揺れやすい（動きやすい）。
さらに、ログハウスでは、建築後に、ログ材の自重による圧縮と、ログ材の乾燥による収縮とによって、ログ壁全体の高さが次第に低くなる（沈み込む）、セトリングと呼ばれる現象が生じる。
このため、本実施形態では、室内に間仕切り壁10を構築するにあたり、種々の工夫をしている。
以下、本実施形態に係る間仕切り壁10の取付け構造について詳しく説明する。
【００４４】
（間仕切り壁10）
図１〜図３に示すように、本実施形態では、間仕切り壁10は、建物の構造躯体を構成する梁80の下に設けられ、更には、建物の構造躯体を構成する柱90に隣接して設けられている。
また、図１〜図３に示すように、本実施形態では、間仕切り壁10は、下枠部材20と、下枠部材20の上方に、下枠部材20と同一平面上に設けられる上枠部材30と、下枠部材20及び上枠部材30の間に立設され、これらを接合する複数の縦枠部材40と、下枠部材20、上枠部材30及び複数の縦枠部材40によって形成される枠体に固定される面材50とを備えている。
【００４５】
（下枠部材20）
下枠部材20は、間仕切り壁10の下端に設けられる長尺の部材である。
本実施形態では、下枠部材20は、床下地合板の上面における、間仕切り壁10を構築しようとする位置に固定されている。また、下枠部材20の床下地合板への固定には、釘を用いている。また、床下地合板は水平に設けられ、したがって、下枠部材20も水平に設けられている。
【００４６】
（上枠部材30）
上枠部材30は、間仕切り壁10の上端に設けられる長尺の部材である。この上枠部材30は、下枠部材20の上方に、下枠部材20と同一平面上に設けられるものである。
図１及び図３に示すように、本実施形態では、梁80が水平に架け渡されている。この梁80は、建物の構造躯体を構成するものである。そして、この梁80の下方に、この梁80とは所定間隔を空けて、この梁80と平行に、上枠部材30が設けられている。このため、本実施形態では、上枠部材30は、水平、かつ、下枠部材20と平行に設けられている。
【００４７】
（下地部材33）
図１及び図３に示すように、本実施形態では、梁80の下面に、梁80に沿って、下地部材33が設けられている。また、梁80と下地部材33との間には、間隙は設けられていない。また、下地部材33は、梁80に釘で固定されている。このため、下地部材33は、梁80に対して変位することはない。また、下地部材33の幅は、梁80の幅、及び間仕切り壁10の幅（間仕切り壁10の両面材50の間隔）よりも広い。このため、下地部材33は、梁80及び間仕切り壁10の面（つら）位置よりも室内側に突出している。そして、下地部材33の両側面に、横幕板35が固定されている。つまり、下地部材33は、横幕板35を梁80に固定するための部材である。横幕板35については後述する。
【００４８】
（垂直変位対応スペース60、グラスウール34）
図１及び図３に示すように、本実施形態では、上枠部材30と下地部材33との間に、ひいては上枠部材30と建物の構造躯体としての梁80との間に、所定間隔の間隙が設けられている。この間隙が、垂直変位対応スペース60である。この垂直変位対応スペース60は、間仕切り壁10の一方の側端部に相当する位置から他方の側端部に相当する位置まで連続して設けられている。
また、この垂直変位対応スペース60は、セトリングスペースなどとも呼ばれるものであって、建物の構造躯体の垂直方向の変位を間仕切り壁10に伝えないようにするための間隙として機能し、さらには、建物の構造躯体の水平方向の変位を間仕切り壁10に伝えないようにするための間隙としても機能する。
【００４９】
また、垂直変位対応スペース60の大きさ（高さ）は、セトリングによるログ壁全体の高さの低下（沈み込み）の大きさを考慮し、それよりも大きい（高い）程度に設定されている。つまり、垂直変位対応スペース60の大きさ（高さ）は、セトリングにより低くなると想定される高さ以上に設定されている。
さらに、図１及び図３に示すように、本実施形態では、上枠部材30と下地部材33との間に、つまり、垂直変位対応スペース60に、グラスウール34を充填している。
【００５０】
（横幕板35）
図１及び図３に示すように、本実施形態では、垂直変位対応スペース60を隠すための横幕板35が設けられている。
本実施形態では、梁80の下面に、下地部材33が固定され、下地部材33の側面に、横幕板35が固定されている。つまり、本実施形態では、横幕板35は、建物の構造躯体としての梁80に、下地部材33を介して、間接的に固定されている。
【００５１】
また、図１及び図３に示すように、横幕板35は、板状の部材であり、垂直変位対応スペース60に対応して、つまり、梁80及び下地部材33に沿って、間仕切り壁10の一方の側端部に相当する位置から他方の側端部に相当する位置まで連続して設けられている。
また、本実施形態では、横幕板35の下端は、間仕切り壁10の面材50の上端よりも下方まで延びている。これにより、横幕板35の下部が、間仕切り壁10の面材50の上部に被る（重なる、覆う）ようになっている。このようにして、横幕板35で垂直変位対応スペース60を隠すことにより、見栄えを良くしている。
【００５２】
さらに、本実施形態では、横幕板35と間仕切り壁10の面材50との間には、これらの間の間隙を塞ぐための横長スペーサー36が設けられている。この横長スペーサー36は、間仕切り壁10の面材50に釘で固定されている。
なお、横長スペーサー36の表面と、横幕板35の裏面とは、互いに接してはいるものの、固定はされていない。これにより、間仕切り壁10に対して建物の構造躯体が変位したときには、横長スペーサー36の表面と、横幕板35の裏面とが、互いに擦れ合うようになっている。
【００５３】
（長貫通孔31）
長貫通孔31は、上枠部材30に設けられる孔である。
図３に示すように、長貫通孔31は、上枠部材30の上面から下面まで貫通している。すなわち、長貫通孔31は、上枠部材30を上下に貫通している。さらに、長貫通孔31は、上枠部材30の長手方向に沿って延びる長円形状に形成されている。
【００５４】
（締結部材32）
締結部材32は、間仕切り壁10を建物の構造躯体に対して取り付けるための棒状の部材である。
間仕切り壁10は、建物の構造躯体を構成する壁ではないので、建物の構造躯体に対して倒れないように取り付けられれば足りる。
【００５５】
図１及び図３に示すように、本実施形態では、締結部材32を、上枠部材30の下面側から長貫通孔31に挿通する。そして、上枠部材30の上面側から突出した締結部材32の先端部分を、上枠部材30の上方に位置する建物の構造躯体としての梁80に固定する。このとき、締結部材32の先端で、グラスウール34及び下地部材33を、下から上に突き抜く。また、本実施形態では、締結部材32として、ラグスクリューを用いている。そして、ラグスクリューの先端部分を、梁80にねじ込んで（螺合させて）固定する。
【００５６】
これにより、上枠部材30は、その上方に位置する建物の構造躯体としての梁80に対して、その長手方向に変位可能に取り付けられている。
なお、上枠部材30は、建物の構造躯体に対しては、その長手方向に変位可能に取り付けられるものの、上枠部材30には、縦枠部材40や面材50が釘などで固定される。このため、上枠部材30は、縦枠部材40や面材50に対しては変位しない。
【００５７】
また、長貫通孔31と締結部材32との関係について説明すると、長貫通孔31の短径（幅）は、締結部材32の軸部の直径とほぼ等しく設定され、また、長貫通孔31の長径（長さ）は、締結部材32の軸部の直径よりも大きく（長く）設定されている。なお、長貫通孔31の短径（幅）は、締結部材32の頭部の直径よりは小さく設定されている。
さらに、長貫通孔31の長径（長さ）は、地震等による構造躯体の水平方向の変位の大きさを考慮し、それよりも大きい（長い）程度に設定されている。
【００５８】
（縦枠部材40）
縦枠部材40は、下枠部材20及び上枠部材30の間に立設される長尺の部材である。この縦枠部材40は、下枠部材20と上枠部材30との間に、複数本立設される。また、隣り合う縦枠部材40同士の間隔は、間仕切り壁10の強度等を考慮して、適宜設定されるものである。
また、縦枠部材40の下端は、下枠部材20に固定され、また、縦枠部材40の上端は、上枠部材30に固定されている。また、縦枠部材40と下枠部材20や上枠部材30との固定には、釘を用いている。
【００５９】
（水平変位対応スペース70）
またここで、間仕切り壁10の側端に設けられる縦枠部材40について説明する。
図２に示すように、本実施形態では、間仕切り壁10の側端には、縦枠部材40が設けられている。また、間仕切り壁10の側方には、建物の構造躯体としての柱90が設けられている。そして、間仕切り壁10の側端に設けられている縦枠部材40と、間仕切り壁10の側方に位置する構造躯体としての柱90との間に、所定間隔の間隙が設けられている。この間隙が、水平変位対応スペース70である。
【００６０】
この水平変位対応スペース70は、建物の構造躯体の水平方向の変位を間仕切り壁10に伝えないようにするための間隙であって、間仕切り壁10の下端部に相当する位置から、上端部に相当する位置まで、連続して設けられている。
また、水平変位対応スペース70の大きさ（幅）は、地震等による構造躯体の水平方向の変位の大きさを考慮し、それよりも大きい（広い）程度に設定されている。
このようにして、本実施形態では、間仕切り壁10の側端部と、間仕切り壁10の側方に位置する建物の構造躯体との間に、水平変位対応スペース70を設けている。
【００６１】
（縦幕板41）
図２に示すように、本実施形態では、水平変位対応スペース70を隠すための縦幕板41が設けられている。
本実施形態では、柱90の側面に、縦長スペーサー42が固定され、縦長スペーサー42の側面に、縦幕板41が固定されている。つまり、本実施形態では、縦幕板41は、建物の構造躯体としての柱90に、縦長スペーサー42を介して、間接的に固定されている。
また、図２に示すように、縦幕板41は、板状の部材であり、水平変位対応スペース70に対応して、つまり、柱90に沿って、間仕切り壁10の下端部に相当する位置から上端部に相当する位置まで連続して設けられている。
【００６２】
また、本実施形態では、縦幕板41の側端は、間仕切り壁10の面材50の側端よりも内側まで延びている。これにより、横幕板35の側部が、間仕切り壁10の面材50の側部に被る（重なる、覆う）ようになっている。このようにして、縦幕板41で水平変位対応スペース70を隠すことにより、見栄えを良くしている。
さらに、本実施形態では、横幕板35の裏面と、間仕切り壁10の面材50の表面とは、互いに接してはいるものの、固定はされていない。これにより、間仕切り壁10に対して建物の構造躯体が変位したときには、横幕板35の裏面と、間仕切り壁10の面材50の表面とが、互いに擦れ合うようになっている。
【００６３】
（枠体、面材50）
上述したように、本実施形態では、間仕切り壁10の骨格として、下枠部材20、上枠部材30、及び複数の縦枠部材40を備えており、これらによって、枠体が形成されている。そして、この枠体の開口部を塞ぐようにして、面材50が固定されている。
具体的には、本実施形態では、面材50は、下枠部材20、上枠部材30、及び左右の縦枠部材40によって形成される四角形の枠体に、その周縁部を固定されている。つまり、面材50は、その下端縁を下枠部材20に、その上端縁を上枠部材30に、その左右の側端縁を左右の縦枠部材40に、それぞれ固定されている。また、面材50の左右の側端縁に相当する位置のみならず、これらの間にも、中間の縦枠部材40が立設されている。そして、面材50は、この中間の縦枠部材40にも固定されている。また、面材50の枠体への固定には、釘やビスを用いている。
【００６４】
また、面材50は、下枠部材20、上枠部材30、及び複数の縦枠部材40によって形成される枠体の両面に固定されている。つまり、２枚の面材50の間に、枠体が挟まれるようになっている。
さらに、本実施形態では、面材50として、石膏ボード（プラスターボード）を用いている。そして、石膏ボード同士の継ぎ目をパテで埋め、表面を塗装することで仕上げている。もちろん、表面に壁紙（クロス）を貼付して仕上げてもよい。
【００６５】
（作用・効果）
以上説明したように、本実施形態では、間仕切り壁10を構成する上枠部材30が、その上方に位置する建物の構造躯体としての梁80に対して、その長手方向に変位可能に取り付けられている。このため、地震等により建物の構造躯体が揺れて水平方向に変位しても、その変位が間仕切り壁10に伝わらないようにすることができ、ひいては間仕切り壁10が変形・破損しないようにすることができる。
【００６６】
また、本実施形態では、間仕切り壁10を構成する上枠部材30と、その上方に位置する建物の構造躯体としての梁80との間に、垂直変位対応スペース60とされる所定間隔の間隙が設けられている。このため、セトリングによりログ壁全体の高さが低下しても、その変位が垂直変位対応スペース60に吸収される。さらに、地震等により建物の構造躯体が揺れて水平方向に変位しても、その変位も垂直変位対応スペース60に吸収される。したがって、建物の構造躯体の垂直方向及び水平方向の変位が間仕切り壁10に伝わらないようにすることができ、ひいては間仕切り壁10が変形・破損しないようにすることができる。
【００６７】
さらに、本実施形態では、間仕切り壁10の側端を構成する縦枠部材40と、その側方に位置する建物の構造躯体としての柱90との間に、水平変位対応スペース70とされる所定間隔の間隙が設けられている。このため、地震等により構造躯体が揺れて水平方向に変位しても、その変位が水平変位対応スペース70に吸収されることから、間仕切り壁10に伝わらないようにすることができ、ひいては間仕切り壁10が変形・破損しないようにすることができる。
なお、上記実施形態では、ログハウスを例に間仕切り壁10の取り付け構造について説明したが、建物はログハウスに限られるものではない。
【符号の説明】
【００６８】
10  間仕切り壁                        20  下枠部材
30  上枠部材                          31  長貫通孔
32  締結部材                          33  下地部材
34  グラスウール                      35  横幕板
36  横長スペーサー                    40  縦枠部材
41  縦幕板                            42  縦長スペーサー
50  面材                              60  垂直変位対応スペース
70  水平変位対応スペース              80  梁
90  柱
【図１】
0005399361.tif 000002
【図２】
0005399361.tif 000003
【図３】
0005399361.tif 000004